(57)【要約】【課題】  液晶表示器が低温時であっても、視認性良く指針画像を回動表示させる車両用表示装置を提供する。【解決手段】  車両用表示装置１は、液晶表示器１１、制御手段１２、温度検出手段１３で構成する。制御手段１２は、車両の各種車両情報に応じて、液晶表示器１１に指標画像を含む背景画像１１０上を指針画像１１１を回転表示させる。また、制御手段１２は、液晶表示器１１の温度を検出する温度検出手段１３から入力される温度が閾値Ｔ以上ならば、指針画像１１１と共に、加飾画像１１２、１１３、１１４を表示し、該温度が閾値Ｔ未満ならば、背景画像１１０、指針画像１１１、および加飾画像１１２、１１３、１１４を構成する色に中間色を含む割合が低くなるように、背景画像１１０または指針画像１１１を他の画像に切り替える、または、加飾画像１１２、１１３、１１４のいずれかを表示しない。【選択図】  図４
2015132702.tif 000002
【特許請求の範囲】
【請求項１】
液晶表示器に背景画像上に被変換画像を回転、拡大縮小、せん断、平行移動の少なくともいずれか一つを伴った変換表示させる制御手段を備えた車両用表示装置であって、
前記液晶表示器の温度を検出する温度検出手段を備え、
前記制御手段は、前記背景画像上に被変換画像を変換表示させるにあたって、前記温度検出手段が検出した温度が所定値未満のときに、前記背景画像または前記被変換画像の少なくともいずれか一方の画像を構成する中間色の割合を低くする
ことを特徴とする車両用表示装置。
【請求項２】
前記背景画像は指標画像を含み、
前記被変換画像は前記指標部を指示する指針画像を含み、
前記制御手段は、車両の計測値に応じて、前記背景画像の指標画像を指示するように前記被変換画像を回転させる変換表示をする
ことを特徴とする請求項１に記載の車両用表示装置。
【請求項３】
前記被変換画像は、前記指針画像を装飾する加飾画像を少なくとも１つ含み、
前記制御手段は、前記温度検出手段が検出した温度が所定値未満のときに、前記加飾画像の少なくとも１つを表示しない
ことを特徴とする請求項２に記載の車両用表示装置。
【請求項４】
前記加飾画像は、前記指針画像の境界に位置するグラデーション画像、前記指針画像に対応する影画像、前記指針画像の回転方向と反対に位置する残像画像、の少なくとも１つを含む
ことを特徴とする請求項３に記載の車両用表示装置。
【発明の詳細な説明】
【技術分野】
【０００１】
本発明は、液晶表示器が低温時であっても、視認性良く回転、拡大縮小、せん断、平行移動の少なくとも一つを伴った変換表示をさせる車両用表示装置に関するものである。
【背景技術】
【０００２】
従来、液晶表示器に指針画像を回動表示させる車両用表示装置において、その指針画像の回転表示を滑らかに視認性良く表示することを目的として、指針画像に様々な加飾効果を付与する表示方法が提案されている。
【０００３】
例えば、特許文献１に、指針の回動速度が速い場合にそのまま指針画像だけを表示すると残像として一度に多くの指針画像が見えてしまうことを緩和するため、指針画像の回動側（進行側）と反対方向に影画像を表示する車両用表示装置が開示されている。
【０００４】
また、特許文献２に、特許文献１と同様の課題を解消するために、指針画像の周囲に、指針画像の色から背景画像の色へ徐々に変化するグラデーション画像を表示する車両用表示装置が開示されている。
【０００５】
および、指針の回動状況と視認性良くかつ明確に表示することを目的として、特許文献３と特許文献４には、指針画像の回動の軌跡を描く残像（モーションブラー）画像を表示する車両用表示装置が開示されている。
【先行技術文献】
【特許文献】
【０００６】
【特許文献１】特開２００３−２６２５４２号公報
【特許文献２】特開２０１０−７１９０７号公報
【特許文献３】特開２０１１−１０５２５３号公報
【特許文献４】特開２００７−３０３８９４号公報
【発明の概要】
【発明が解決しようとする課題】
【０００７】
しかしながら、液晶表示器が低温となっている場合においては、液晶表示器の液晶自体の粘性が上がることで電位の印加及び印加停止に伴う液晶分子の配列変化が完了するまでの応答時間が長くなるため、上述のように車両表示装置において、指針画像を回動表示させて計器表示する場合においては、回動表示に液晶表示器の液晶分子の配列変化の応答速度が間に合わず、指針画像が何本にも繋がって見えたり、指針画像の境界が暈けてしまい、指示値の視認性が低下するという問題があった。
【０００８】
本発明は、上記現状を鑑みてなされたものであり、液晶表示器が低温時であっても、視認性良く回転、拡大縮小、せん断、平行移動の少なくとも一つを伴った変換表示をさせる車両用表示装置を提供することを目的とする。
【課題を解決するための手段】
【０００９】
本発明に係る車両用表示装置は、
液晶表示器に背景画像上に被変換画像を回転、拡大縮小、せん断、平行移動の少なくともいずれか一つを伴った変換表示させる制御手段を備えた車両用表示装置であって、
前記液晶表示器の温度を検出する温度検出手段を備え、
前記制御手段は、前記背景画像上に被変換画像を変換表示させるにあたって、前記温度検出手段が検出した温度が所定値未満のときに、前記背景画像または前記被変換画像の少なくともいずれか一方の画像を構成する中間色の割合を低くする。
【００１０】
また、本発明に係る車両用表示装置は、
前記背景画像に指標画像を含み、
前記被変換画像は前記指標部を指示する指針画像を含み、
前記制御手段は、車両の計測値に応じて、前記背景画像の指標画像を指示するように前記被変換画像を回転させる変換表示をする。
【００１１】
また、本発明に係る車両用表示装置は、
前記被変換画像に、前記指針画像を装飾する加飾画像を少なくとも１つ含み、
前記制御手段は、前記温度検出手段が検出した温度が所定値未満のときに、前記加飾画像の少なくとも１つを表示しない。
【００１２】
また、本発明に係る車両用表示装置は、
前記加飾画像に、前記指針画像の境界に位置するグラデーション画像、前記指針画像に対応する影画像、前記指針画像の回転方向と反対に位置する残像画像、の少なくとも１つを含む。
【発明の効果】
【００１３】
本発明によれば、液晶表示器が低温時であっても、視認性良く回転、拡大縮小、せん断、平行移動の少なくとも一つを伴った変換表示をさせる車両用表示装置を提供することができる。
【図面の簡単な説明】
【００１４】
【図１】本発明の実施形態の車両用表示装置の正面図である。
【図２】同実施形態における電気的構成を示すブロック図である。
【図３】同実施形態の計器表示におけるフローチャート図である。
【図４】同実施形態の計器表示における指針回転表示例であり、（ａ）が指針画像と共に加飾画像としてグラデーション画像を表示した例であり、（ｂ）は指針画像と共に加飾画像として影画像を表示した例であり、（ｃ）は指針画像と共に加飾画像として残像画像を表示した例であり、（ｄ）は指針画像のみで加飾画像を表示しない例である。
【発明を実施するための形態】
【００１５】
以下に、本発明の実施形態に係る車両用表示装置を添付図面の図１〜４に基づいて説明する。
【００１６】
本発明の実施形態に係る車両用表示装置１は、液晶表示器１１、制御手段１２、温度検出手段１３から構成する。
【００１７】
液晶表示器１１は、例えばＴＦＴ（Thin film transistor）液晶ディスプレイからなる。
【００１８】
制御手段１２は、例えばＣＰＵからなり、図２に示すように、液晶表示器１１、温度検出手段１３、車内ＬＡＮ２と電気的に接続され、車内ＬＡＮ２より入力される車両の走行速度、エンジン回転数、残燃料量、ギアポジション等の各種車両情報に応じた計器表示をする。また、制御手段１２は、後述する温度検出手段１３から入力される温度に応じて、計器表示の形態を変更する。
【００１９】
温度検出手段１３は、例えばサーミスタなどの温度変化に対して電気抵抗の変化が大きくなる抵抗体からなり、液晶表示器１１の付近に配置することで、液晶表示器１１の温度を検出する。また、温度検出手段１３は、制御手段１２に電気的に接続され、検出した温度を制御手段１２に入力する。
【００２０】
次に、本発明の特徴である制御手段１２の計器表示の形態に係る処理手順について図３に示すフローチャートに基づいて説明する。
【００２１】
制御手段１２は、まず、温度検出手段１３によって液晶表示器１１の温度を取得する（ステップＳ１）。
【００２２】
次に、ステップＳ１にて取得した温度が閾値Ｔ以上であるか否かを判定し、閾値Ｔ以上ならば、後述するステップＳ３ａへ進み、閾値Ｔ未満ならば、後述するステップＳ３ｂへ進む（ステップＳ２）。
閾値Ｔは、例えば−２０〜−４０℃の液晶表示器１１の液晶自体の粘性が上がり、制御手段１２による液晶表示器１１への画像表示の切替速度に、液晶表示器１１の応答性が間に合わなくなる低温状態を判断できる温度を適宜定めることが好ましい。
【００２３】
ステップＳ２にて、ステップＳ１にて取得した温度が閾値Ｔ以上であった場合、制御手段１２は、液晶表示器１１に計器表示するにあたって、指標画像を含む背景画像１１０を表示し、計測値に対応した指標画像の位置に指針画像１１１を回動表示すると共に、指針画像１１１を装飾する加飾画像を表示する（ステップＳ３ａ）。
【００２４】
加飾画像としては、図４（ａ）に示すような指針画像１１１の境界を滑らかに見せるようなグラデーション画像１１２や、図４（ｂ）に示すような指針画像１１１に対応した影画像１１３や、図４（ｃ）に示すような指針画像１１１の回動方向と反対に延びる残像（モーションブラー）画像１１４が挙げられ、これら単一の画像を指針画像１１２と共に表示しても良いし、これらを組み合わせて表示しても良い。
【００２５】
一方、ステップＳ２にて、ステップＳ１にて取得した温度が閾値Ｔ未満であった場合、つまり、液晶表示器１１が低温となっている場合においては、液晶表示器の液晶自体の粘性が上がることで電位の印加及び印加停止に伴う液晶分子の配列変化が完了するまでの応答時間が長くなっている。
【００２６】
また、液晶表示器１１が低温となっている場合においては、印加電圧を零電圧や最大電圧などの両端の電位から他の電圧に変化する際の液晶分子の配列変化が完了するまでの応答時間に比べて、中間電圧から他の電圧に変化する際、および、他の電圧から中間電圧に変化する際の応答時間が長くなる。
【００２７】
そのため、液晶表示器１１が低温となっている場合においては、ＲＧＢの三原色で各々の階調が０〜２５５の２５６階調で構成された各色で言うと、（Ｒ，Ｇ，Ｂ）＝（０，０，０）で構成される黒や、（２５５，０，０）で構成される赤、（０，２５５，０）で構成される緑、（０，０，２５５）で構成される青、（Ｒ，Ｇ，Ｂ）＝（２５５，２５５，０）で構成される黄、（Ｒ，Ｇ，Ｂ）＝（２５５，０，２５５）で構成されるマゼンタ、（Ｒ，Ｇ，Ｂ）＝（０，２５５，２５５）で構成されるシアン、（Ｒ，Ｇ，Ｂ）＝（２５５，２５５，２５５）で構成される白、などの零電圧と最大電圧の組み合わせで構成される純色へ変化、または該純色からの変化の応答時間に比べて、それ以外の中間電圧を印加して構成される中間色へ変化、または該中間色からの変化の応答時間は長くなる。
【００２８】
これらの低温時における液晶表示器１１の特性によって、液晶表示器１１が低温となっている場合に、液晶表示器１１に指針画像１１１を回動表示させると、指針画像１１１の回転に合わせて、背景画像１１０と、指針画像１１１および加飾画像を構成する色間への変化が行われることになるため、背景画像１１０と、指針画像１１１および加飾画像が中間色を含む割合が高いほど、指針画像１１１の回動表示の速度に液晶表示器１１の応答速度が間に合わず、指針画像が何本にも繋がって見えたり、指針画像の境界が暈けてしまい、指示値の視認性が低下してしまう。
【００２９】
そのため、ステップＳ２にて、ステップＳ１にて取得した温度が閾値Ｔ未満であった場合、制御手段１２は、液晶表示器１１に計器画像を表示するにあたって、指針画像１１１の回動表示に関連する画像として、背景画像１１０、指針画像１１１、および加飾画像を構成する色に中間色を含む割合を、ステップＳ３ｂにおける計器表示よりも低くした低温時計器表示を行う（ステップＳ３ｂ）。
【００３０】
具体的には、ステップＳ３ａで表示していた背景画像１１０、指針画像１１１に比べ中間色を含む割合の少ない他の背景画像や指針画像に切り替える。または、ステップＳ３ａで表示していた加飾画像の少なくとも１つを表示しない。
【００３１】
このように構成することで、液晶表示器１１が低温となっている場合に指針画像１１１を回動表示させるにあたって、ステップＳ３ａで表示する計器表示に比べ、液晶分子の配列変化が完了するまでの応答時間が短い画像描画となるので、指針画像が何本にも繋がって見えたり、指針画像の境界が暈けることを抑制することができる。
【００３２】
特に、指針画像１１１と共に回動する加飾画像は、グラデーション画像１１２や、影画像１１３や、残像画像１１４は、中間色で構成される割合が高いので、これら加飾画像を表示する数が少なくするほど、液晶表示器１１への指針画像１１１の回動表示は視認しやすくなる。
【００３３】
以上、本発明を前述したように、指標画像を含む背景画像１１０上に被変換画像（指針画像１１０、グラデーション画像１１２、影画像１１３、残像画像１１４）を回転移動表示させる実施形態を用いて説明したが、これらに限られず種々の変形を行うことができる。
【００３４】
例えば、本実施例では、被変換画像として、指針画像１１０と、指針画像１１０を装飾する加飾画像（グラデーション画像１１２、影画像１１３、残像画像１１４）を別画像として持つ構成としたが、これに限らず、予め指針画像１１０とグラデーション画像を合成したものを指針画像１１０としても良いし、これら加飾画像（グラデーション画像１１２、影画像１１３、残像画像１１４）を、制御手段１２によって適宜生成して指針画像１１０に付与しても良い。
【００３５】
また、被変換画像の変換表示は、例えば、車両の各種警告画像を任意の方向へ拡大・縮小を伴って移動する変換表示によって注意を惹きつけるものであっても良いし、背景画像上を車両の計測値に応じて帯状画像を回転、拡大縮小、せん断、平行移動を伴って伸縮させて指示するものに応用することもできる。
【符号の説明】
【００３６】
１    車両用表示装置
１１    液晶表示器
１１０  背景画像
１１１  指針画像
１１２  グラデーション画像（加飾画像）
１１３  影画像（加飾画像）
１１４  残像画像（加飾画像）
１２    制御手段
１３    温度検出手段
２    車内ＬＡＮ
【図１】
2015132702.tif 000003
【図２】
2015132702.tif 000004
【図３】
2015132702.tif 000005
【図４】
2015132702.tif 000006